(57)【要約】【課題】光源装置から発せられた光の色ムラをより確実に低減することができる技術を提供する。【解決手段】本発明の光源装置は、複数の光源群を有し、各光源群は、第１の色の光を発する複数の第１光源、スペクトルのピークの波長が前記第１の色の光よりも長い第２の色の光を発する複数の第２光源、及び、スペクトルのピークの波長が前記第１の色の光よりも短い第３の色の光を発する複数の第３光源、を有し、同じ光源群が有する複数の第２光源の間隔と、同じ光源群が有する複数の第３光源の間隔とは、それぞれ、同じ光源群が有する複数の第１光源の間隔の最小値よりも狭い。【選択図】図１
2016081906.tif 000002
【特許請求の範囲】
【請求項１】
複数の光源群を有し、
各光源群は、
第１の色の光を発する複数の第１光源、
スペクトルのピークの波長が前記第１の色の光よりも長い第２の色の光を発する複数の第２光源、及び、
スペクトルのピークの波長が前記第１の色の光よりも短い第３の色の光を発する複数の第３光源、
を有し、
同じ光源群が有する複数の第２光源の間隔と、同じ光源群が有する複数の第３光源の間隔とは、それぞれ、同じ光源群が有する複数の第１光源の間隔の最小値よりも狭い
ことを特徴とする光源装置。
【請求項２】
同じ光源群が有する複数の第１光源の間隔の最小値は、当該光源群が有する第１光源と、当該光源群に隣接する光源群が有する第１光源と、の間隔の最小値よりも狭い
ことを特徴とする請求項１に記載の光源装置。
【請求項３】
同じ光源群が有する、複数の第１光源、複数の第２光源、及び、複数の第３光源は、それぞれ、当該光源群の中心位置に対して略点対称となるように配置されている
ことを特徴とする請求項１または２に記載の光源装置。
【請求項４】
前記複数の光源群から発せられた光を拡散する拡散部材をさらに有し、
前記光源群の中心位置と前記拡散部材の中心位置との間の前記光源群の発光方向における距離は、前記光源群の中心位置と当該光源群に隣接する光源群の中心位置との間の距離よりも狭い
ことを特徴とする請求項１〜３のいずれか１項に記載の光源装置。
【請求項５】
互いに隣接する光源群間で、同じ光源群が有する複数の第２光源と複数の第３光源との位置関係が、互いに異なる
ことを特徴とする請求項１〜４のいずれか１項に記載の光源装置。
【請求項６】
同じ光源群が有する複数の第１光源は、前記第１光源である１つ以上の光源Ｃと、前記第１光源であり、且つ、前記光源Ｃが発する光とスペクトルのピークの波長が異なる光を発する光源である、１つ以上の光源Ｄと、を含み、
同じ光源群が有する複数の第１光源のうち、当該光源群に隣接する光源群が有する光源Ｃに最も近い第１光源は、光源Ｄであり、
同じ光源群が有する複数の第１光源のうち、当該光源群に隣接する光源群が有する光源Ｄに最も近い第１光源は、光源Ｃである
ことを特徴とする請求項１〜５のいずれか１項に記載の光源装置。
【請求項７】
同じ光源群が有する複数の第１光源は、前記第１光源である１つ以上の光源Ｃと、前記第１光源であり、且つ、前記光源Ｃが発する光とスペクトルのピークの波長が異なる光を発する光源である、１つ以上の光源Ｄと、を含み、
同じ光源群が有する複数の光源Ｃと複数の光源Ｄは、それぞれ、当該光源群の中心位置に対して略点対称となるように配置されている、
ことを特徴とする請求項１〜６のいずれか１項に記載の光源装置。
【請求項８】
各光源群は、４つの第１光源、２つの第２光源、及び、２つの第３光源、を有していることを特徴とする請求項１〜７のいずれか１項に記載の光源装置。
【請求項９】
各光源群は、４つの第１光源、２つの第２光源、及び、２つの第３光源、を有し、
同じ光源群が有する４つの第１光源は、２行２列のマトリクスを形成するように配置されており、
同じ光源群が有する２つの第２光源は、前記マトリクスの行方向と列方向の一方の方向に並べて配置されおり、
同じ光源群が有する２つの第３光源は、前記行方向と前記列方向の他方の方向に並べて配置されている
ことを特徴とする請求項１〜８のいずれか１項に記載の光源装置。
【請求項１０】
前記第１の色は緑色であり、
前記第２の色は赤色であり、
前記第３の色は青色である
ことを特徴とする請求項１〜９のいずれか１項に記載の光源装置。
【請求項１１】
前記第１の色の光のスペクトルは、４９０ｎｍ以上５５９ｎｍ以下の波長範囲にピークを有し、
前記第２の色の光のスペクトルは、６１１ｎｍ以上７００ｎｍ以下の波長範囲にピークを有し、
前記第３の色の光のスペクトルは、４３０ｎｍ以上４９０ｎｍ未満の波長範囲にピークを有する
ことを特徴とする請求項１〜１０のいずれか１項に記載の光源装置。
【請求項１２】
前記複数の第２光源の間隔とは、前記複数の第２光源のそれぞれの中心位置の間隔であり、
前記複数の第３光源の間隔とは、前記複数の第３光源のそれぞれの中心位置の間隔である
ことを特徴とする請求項１〜１１のいずれか１項に記載の光源装置。
【請求項１３】
前記複数の第１光源の間隔とは、前記複数の第１光源のそれぞれの中心位置の間隔であり、
前記光源群が有する第１光源と、当該光源群に隣接する光源群が有する第１光源と、の間隔とは、前記光源群が有する第１光源の中心位置と、当該光源群に隣接する光源群が有する第１光源の中心位置と、の間隔である
ことを特徴とする請求項２に記載の光源装置。
【請求項１４】
複数の光源群を有する光源装置と、
前記光源装置から発せられた光を変調することで画面に画像を表示する表示部と、
を有し、
各光源群は、
第１の色の光を発する複数の第１光源、
スペクトルのピークの波長が前記第１の色の光よりも長い第２の色の光を発する複数の第２光源、及び、
スペクトルのピークの波長が前記第１の色の光よりも短い第３の色の光を発する複数の第３光源、
を有し、
同じ光源群が有する複数の第２光源の間隔と、同じ光源群が有する複数の第３光源の間隔とは、それぞれ、同じ光源群が有する複数の第１光源の間隔の最小値よりも狭い
ことを特徴とする画像表示装置。
【発明の詳細な説明】
【技術分野】
【０００１】
本発明は、光源装置及び画像表示装置に関する。
【背景技術】
【０００２】
従来、液晶表示装置用のバックライト装置の光源として冷陰極蛍光管（ＣＣＦＬ）が用いられてきたが、近年、光源として発光ダイオード（ＬＥＤ）を用いたバックライト装置も増えてきている。ＬＥＤは点光源であるため、バックライト装置の光源としてＬＥＤを用いる場合には、ＬＥＤの配置、光の拡散構造、光の反射構造などを工夫して、バックライト装置から発せられた光の輝度ムラや色ムラの発生を抑制する必要がある。特に、赤色、緑色、青色など複数色のＬＥＤを用いたバックライト装置では、白色ＬＥＤを用いたバックライト装置よりも縞模様や格子模様の輝度ムラや色ムラが生じやすいため、ＬＥＤの配置、光の拡散構造、光の反射構造などを工夫する必要がある。
【０００３】
赤色、緑色、及び、青色の３色のＬＥＤを使用したバックライト装置（光源装置）における色ムラを低減するための技術は、例えば、特許文献１〜３に開示されている。特許文献１〜３には、複数の発光クラスタを有する光源装置が開示されている。
特許文献１に開示の光源装置では、複数種類の発光クラスタが使用されている。特許文献１に開示の発光クラスタは、上記３色のＬＥＤが三角形配置された発光クラスタである。そして、上記複数種類の発光クラスタは、赤色ＬＥＤの配置が互いに異なる複数の発光クラスタである。特許文献１に開示の光源装置では、発光クラスタの配置位置に応じて、配置される発光クラスタの種類が変更されている。
特許文献２に開示の光源装置では、色（発光色；発光素子から発せられる光の色）が互いに異なる複数の発光素子を有する発光クラスタが使用されている。特許文献２に開示の発光クラスタは、少なくとも１つの色について、その色の発光素子を複数有している。そして、特許文献２に開示の発光クラスタでは、各色の発光素子の中心位置が略一致するように、各発光素子が配置されている。
特許文献３に開示の光源装置では、色が互いに異なるＮ個の点光源を有する発光クラスタが使用されている。そして、特許文献３に開示の光源装置では、各発光クラスタが、その発光クラスタに隣接する発光クラスタに対して時計方向または反時計方向に所定の角度で回転されて配置されている。
【０００４】
また、ＬＥＤが点光源であることを利用して、ＬＥＤの発光輝度を個別に制御することで、バックライト装置の明るさを部分的に変更し、表示画像のコントラストを高める技術がある。このような発光輝度の制御は、一般的にローカルディミング制御と呼ばれている。ローカルディミング制御では、画面の領域を構成する複数の分割領域のそれぞれについて、画像信号の輝度値を分析し、対応する光源の発光輝度を輝度値の分析結果に基づいて制御する処理が行われる。それにより、表示画像のコントラストが向上される。また、分割領域に対応する光源として複数色の光源を用いることにより、分割領域毎に、バックライト装置の発光輝度だけでなく発光色も変更することができる。具体的には、複数色の光源の発光輝度比を変更することにより、バックライト装置の発光色を変更することができる。分割領域毎にバックライト装置の発光色を制御することにより、表示画像の色域を拡大することができる。
【０００５】
ローカルディミング制御可能な光源装置における色ムラを低減するための技術は、例えば、特許文献４に開示されている。具体的には、特許文献４には、発光クラスタの外縁部で生じる色ムラを低減するための技術が開示されている。特許文献４に開示の技術では、複数の分割領域に対応する複数の光源ユニット（発光クラスタ）のそれぞれが、複数の赤
色ＬＥＤ、複数の緑色ＬＥＤ、及び、複数の青色ＬＥＤで構成されている。そして、光源ユニット毎に以下の条件を満たすように、各ＬＥＤが配置されている。
条件：複数の赤色ＬＥＤに基づく輝度プロファイルの重心、複数の緑色ＬＥＤに基づく輝度プロファイルの重心、及び、複数の青色ＬＥＤに基づく輝度プロファイルの重心が、光源ユニットの重心と略一致する。
【先行技術文献】
【特許文献】
【０００６】
【特許文献１】特開２００８−０３４３６１号公報
【特許文献２】特開２００７−０１３００７号公報
【特許文献３】特開２００８−０４１６６６号公報
【特許文献４】特開２００８−００３２２０号公報
【発明の概要】
【発明が解決しようとする課題】
【０００７】
ここで、各々が複数色のＬＥＤを有する複数の発光クラスタを有する光源装置で生じる色ムラについて説明する。
まず、互いに隣接する発光クラスタ間で同色のＬＥＤが近接配置されている場合を考える。この場合には、すべての発光クラスタの点灯時に、縞模様または格子模様の色ムラが生じてしまう。
次に、ローカルディミング制御を行った場合を考える。この場合には、発光クラスタ間で発光輝度が異なることにより、発光クラスタ間で色ムラが生じてしまう。具体的には、発光クラスタ間で発光輝度が異なると、特定の色についての発光クラスタ間での発光輝度の違いが色ムラとして知覚されてしまう。
【０００８】
しかしながら、上述した特許文献１に開示の技術は、全発光クラスタが同じ発光輝度で発光した場合に画面上部、画面下部、及び、画面角部で生じる色ムラを低減するための技術であり、ローカルディミング制御時に生じる色ムラについては考慮されていない。そのため、特許文献１に開示の技術を用いたとしても、ローカルディミング制御時に生じる色ムラを低減することはできない。
特許文献２に開示の技術でも、ローカルディミング制御時に生じる色ムラについては考慮されていない。そのため、特許文献２に開示の技術を用いたとしても、ローカルディミング制御時に生じる色ムラを低減することはできない。また、特許文献２に開示の技術では、互いに隣接する発光クラスタ間で同色のＬＥＤが近接配置されることがあり、縞模様または格子模様の色ムラが生じてしまうことがある。
特許文献３に開示の技術でも、ローカルディミング制御時に生じる色ムラについては考慮されていない。そのため、特許文献３に開示の技術を用いたとしても、ローカルディミング制御時に生じる色ムラを低減することはできない。また、特許文献３に開示の技術では、発光クラスタが、複数の色のそれぞれについて、その色の光源を１つだけ有する場合の色ムラを低減するための技術である。しかしながら、赤色ＬＥＤ、緑色ＬＥＤ、及び、青色ＬＥＤを用いて白色光を得る場合には、緑色ＬＥＤの発光量を高めるために、複数の緑色ＬＥＤを用いることが多い。そして、特許文献３に開示の技術では、発光クラスタが１つの色の光源として複数の光源を有する場合については考慮されていない。
特許文献４に開示の技術は、ローカルディミング制御時に生じる色ムラではなく、各色のＬＥＤから光の合成性（混色性）が中心部と外縁部とで異なることにより生じる色ムラを低減するための技術である。そのため、特許文献４に開示の技術を用いたとしても、ローカルディミング制御時に生じる色ムラを低減することはできない。
【０００９】
本発明は、光源装置から発せられた光の色ムラをより確実に低減することができる技術を提供することを目的とする。
【課題を解決するための手段】
【００１０】
本発明の光源装置は、
複数の光源群を有し、
各光源群は、
第１の色の光を発する複数の第１光源、
スペクトルのピークの波長が前記第１の色の光よりも長い第２の色の光を発する複数の第２光源、及び、
スペクトルのピークの波長が前記第１の色の光よりも短い第３の色の光を発する複数の第３光源、
を有し、
同じ光源群が有する複数の第２光源の間隔と、同じ光源群が有する複数の第３光源の間隔とは、それぞれ、同じ光源群が有する複数の第１光源の間隔の最小値よりも狭い
ことを特徴とする。
【００１１】
本発明の画像表示装置は、
複数の光源群を有する光源装置と、
前記光源装置から発せられた光を変調することで画面に画像を表示する表示部と、
を有し、
各光源群は、
第１の色の光を発する複数の第１光源、
スペクトルのピークの波長が前記第１の色の光よりも長い第２の色の光を発する複数の第２光源、及び、
スペクトルのピークの波長が前記第１の色の光よりも短い第３の色の光を発する複数の第３光源、
を有し、
同じ光源群が有する複数の第２光源の間隔と、同じ光源群が有する複数の第３光源の間隔とは、それぞれ、同じ光源群が有する複数の第１光源の間隔の最小値よりも狭い
ことを特徴とする。
【発明の効果】
【００１２】
本発明によれば、光源装置から発せられた光の色ムラをより確実に低減することができる。
【図面の簡単な説明】
【００１３】
【図１】実施例１に係る光源装置の構成の一例を示す図
【図２】実施例２に係る光源装置の構成の一例を示す図
【図３】実施例２に係る光源装置の輝度分布の一例を示す図
【図４】実施例３に係る光源装置の構成の一例を示す図
【図５】実施例４に係る光源装置の構成の一例を示す図
【図６】実施例５に係る画像表示装置の構成の一例を示す図
【発明を実施するための形態】
【００１４】
＜実施例１＞
以下、本発明の実施例１に係る光源装置について説明する。本実施例に係る光源装置は、ローカルディミング制御可能な光源装置である。本実施例に係る光源装置は、例えば、液晶表示装置用のバックライト装置として使用することができる。
なお、本実施例に係る光源装置はバックライト装置に限らない。本実施例に係る光源装置は、光源装置から発せられた光を変調して画像を表示する画像表示装置であれば、どのような画像表示装置でも使用することができる。例えば、本実施例に係る光源装置は、液
晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイでも使用することができる。本実施例に係る光源装置は、広告標識装置、標識表示装置、等の画像表示装置でも使用することができる。本実施例に係る光源装置は、街灯、室内照明、顕微鏡照明などの照明装置として使用することもできる。
【００１５】
（光源装置の構成）
まず、本実施例に係る光源装置の大まかな構成について説明する。
図１は、本実施例に係る光源装置１００の構成の一例を示す。図１において、Ｘ方向は光源装置１００の水平方向であり、Ｙ方向は光源装置１００の垂直方向であり、Ｚ方向は光源装置１００の高さ方向である。
図１に示すように、光源装置１００は、マトリクス状に配置された複数の発光クラスタ１３を有する。図１の例では、光源装置１００は、３行３列の９つの発光クラスタ１３を有する。また、図１では示されていないが、光源装置１００は拡散板と基板をさらに有する。
図１の例では、距離Ｌ１は距離Ｌ２よりも大きい。距離Ｌ１は、発光クラスタ１３の中心位置（Ｐ１）と当該発光クラスタ１３に対して水平方向の側に隣接する発光クラスタ１３の中心位置との間の水平方向における距離である。距離Ｌ２は、発光クラスタ１３の中心位置と当該発光クラスタ１３に対して垂直方向の側に隣接する発光クラスタ１３の中心位置との間の垂直方向における距離である。そのため、図１の例では、光源装置１００の発光領域（光が発せられる領域）の形状は長方形となる。
【００１６】
なお、複数の発光クラスタ１３は、互いに分離されていてもよいし、互いに分離されていなくてもよい。
なお、発光クラスタ１３の数は９つに限らない。発光クラスタ１３の数は９つより多くても少なくてもよい。例えば、複数の発光クラスタ１３は、２行２列の４つの発光クラスタ１３であってもよいし、４行４列の１６個の発光クラスタ１３であってもよいし、２行５列の１０個の発光クラスタ１３であってもよい。また、複数の発光クラスタ１３はマトリクス状に配置されていなくてもよい。例えば、複数の発光クラスタ１３は千鳥状に配置されていてもよい。
なお、距離Ｌ１と距離Ｌ２の大小関係は上記関係に限らない。例えば、距離Ｌ１は距離Ｌ２と等しくてもよいし、距離Ｌ１は距離Ｌ２より小さくてもよい。
【００１７】
各発光クラスタ１３は、複数の第１光源、複数の第２光源、及び、複数の第３光源を有する光源群である。第１光源は、第１の色の光を発する光源である。第２光源は、スペクトルのピークの波長（主波長）が第１の色の光よりも長い第２の色の光を発する光源である。第３光源は、主波長が第１の色の光よりも短い第３の色の光を発する光源である。図１の例では、第１光源として緑色ＬＥＤ１０（Ｇ光源）が使用されており、第２光源として赤色ＬＥＤ１１（Ｒ光源）が使用されており、第３光源として青色ＬＥＤ１２（Ｂ光源）が使用されている。また、図１の例では、各発光クラスタ１３は、４つの緑色ＬＥＤ１０、２つの赤色ＬＥＤ１１、及び、２つの青色ＬＥＤ１２を有する。緑色ＬＥＤ１０は、第１の色の光として緑色の光を発するＬＥＤであり、赤色ＬＥＤ１１は、第２の色の光として赤色の光を発するＬＥＤであり、青色ＬＥＤ１２は、第３の色の光として青色の光を発するＬＥＤである。緑色ＬＥＤ１０から発せられる光のスペクトルは、４９０ｎｍ以上５５９ｎｍ以下の波長範囲にピーク（極大値）を有する。換言すれば、緑色ＬＥＤ１０から発せられる光の主波長範囲は、４９０ｎｍ以上５５９ｎｍ以下の範囲である。赤色ＬＥＤ１１から発せられる光の主波長範囲は、６１１ｎｍ以上７００ｎｍ以下の範囲である。青色ＬＥＤ１２から発せられる光の主波長範囲は、４３０ｎｍ以上４９０ｎｍ未満の範囲である。
【００１８】
なお、第１の色、第２の色、第３の色は、上述した色（緑色、赤色、及び、青色）に限らない。各光の主波長範囲は、上述した範囲（４９０ｎｍ以上５５９ｎｍ以下の範囲、６１１ｎｍ以上７００ｎｍ以下の範囲、及び、４３０ｎｍ以上４９０ｎｍ未満の範囲）に限らない。
なお、各発光クラスタ１３が有するＬＥＤの数は、特に限定されない。例えば、同じ発光クラスタ１３が有する緑色ＬＥＤ１０の数は４つより多くても少なくてもよい。同じ発光クラスタ１３が有する赤色ＬＥＤ１１の数は２つより多くても少なくてもよい。同じ発光クラスタ１３が有する青色ＬＥＤ１２の数は２つより多くても少なくてもよい。
なお、光源は発光ダイオード（ＬＥＤ）に限らない。例えば、光源は、レーザーダイオード、有機ＥＬ素子、等であってもよい。
【００１９】
本実施例では、ローカルディミング制御を行う場合に、各発光クラスタ１３の発光輝度が個別に制御される。また、本実施例では、ローカルディミング制御を行う場合に、同じ発光クラスタ１３が有する複数のＬＥＤのそれぞれの発光輝度が、当該発光クラスタ１３から所定の色の光が発せられるように制御される。所定の色が白色である場合には、例えば、緑色ＬＥＤ１０の発光輝度：赤色ＬＥＤ１１の発光輝度：青色ＬＥＤ１２の発光輝度が、およそ７：３：１となるように、各ＬＥＤの発光輝度が制御される。
【００２０】
本実施例では、複数色のＬＥＤを使用することにより、単色のＬＥＤを使用する場合よりも、上記所定の色の光の色域を拡大することができる。具体的には、緑色ＬＥＤ１０の発光輝度、赤色ＬＥＤ１１の発光輝度、及び、青色ＬＥＤ１２の発光輝度の比率を微調整することにより、上記所定の色の光の色度点を変更することができる。
なお、上記所定の色は白色でなくてもよい。
【００２１】
光源装置１００が画像表示装置用の光源装置である場合には、複数の発光クラスタ１３は、画面の領域を構成する複数の分割領域に対応するように設けられる。例えば、発光クラスタ１３は、表示パネル（表示部）の背面における対応分割領域（当該発光クラスタ１３に対応する分割領域）に光を照射するように設けられる。具体的には、発光クラスタ１３は、当該発光クラスタ１３の中心位置Ｐ１が対応分割領域の中心位置と略一致するように設けられる。本実施例では、“略一致”は“完全一致”を含む。
ここで、マトリクス状に配置された複数の分割領域を得る場合の例を説明する。画面のアスペクト比が水平方向１６：垂直方向９である場合には、１６の倍数で画面を水平方向に分割し、９の倍数で画面を垂直方向に分割することで正方形の分割領域が得られる。分割領域の数は、例えば、画像表示装置に求められるコントラストに基づいて決定される。
【００２２】
なお、分割領域とは異なる領域（画面の少なくとも一部の領域）が、発光クラスタに対応する対応領域として定められていてもよい。対応領域は他の対応領域に重なっていてもよい。複数の対応領域として、互いに接しない複数の領域が定められていてもよい。２つ以上の発光クラスタに対して１つの対応領域が対応付けられていてもよい。上述した分割領域も、“対応領域”と呼ぶことができる。
なお、複数の対応領域はマトリクス状に配置されていなくてもよい。例えば、複数の対応領域は千鳥状に配置されていてもよい。
なお、発光クラスタ１３のサイズは、対応領域のサイズと等しくてもよいし、そうでなくてもよい。発光クラスタ１３のサイズは、対応領域のサイズより大きくても小さくてもよい。
なお、対応領域の形状は、正方形でなくてもよい。例えば、対応領域の形状は、正方形以外の四角形（長方形、平行四辺形、台形、等）、円形、三角形、五角形、等であってもよい。
なお、光源装置１００の外縁部（端部）には、外縁部における輝度と混色性（緑色ＬＥ
Ｄ１０、赤色ＬＥＤ１１、及び、青色ＬＥＤ１２から発せられた光の合成性（混色性））を向上させるために、光の反射性が高い反射壁が設けられてもよい。光源装置１００が画像表示装置用の光源装置である場合には、画像表示装置の表示領域（画面の領域）、または、表示領域を含む領域（表示領域よりも大きい領域）を囲むように、反射壁を設ければよい。
【００２３】
（光源の配置）
次に、本実施例に係る光源の配置について説明する。
まず、第１光源である緑色ＬＥＤ１０の配置について説明する。
【００２４】
図１の例では、同じ発光クラスタ１３が有する４つの緑色ＬＥＤ１０は、当該発光クラスタの中心位置Ｐ１から見て他のＬＥＤ（赤色ＬＥＤ１１と青色ＬＥＤ１２）よりも外側に配置されている。そして、図１の例では、同じ発光クラスタ１３が有する４つの緑色ＬＥＤ１０は、当該発光クラスタ１３の中心位置Ｐ１に対して略点対称となるように配置されている。さらに、図１の例では、同じ発光クラスタ１３が有する４つの緑色ＬＥＤ１０は、２行２列のマトリクスを形成するように配置されている。上記マトリクスの行方向は水平方向と略一致し、上記マトリクスの列方向は垂直方向と略一致している。そして、図１の例では、同じ発光クラスタ１３が有する４つの緑色ＬＥＤ１０の間隔の最小値（水平方向における間隔の最小値、及び、垂直方向における間隔の最小値）が間隔Ｌ３となるように、各緑色ＬＥＤ１０が配置されている。
【００２５】
そのため、図１の例では、各発光クラスタ１３の発光領域（光が発せられる領域）の形状は正方形となる。
また、緑色ＬＥＤ１０は、発光クラスタから発せられた光として白色の光を得る際に、赤色ＬＥＤ１１や青色ＬＥＤ１２よりも高い輝度の光を発する光源である。輝度が高い光を発する４つの緑色ＬＥＤ１０を、発光クラスタ１３の中心位置Ｐ１に対して略点対称となるように配置することにより、発光クラスタ１３から発せられる光の輝度分布として、中心位置Ｐ１で輝度が最も高い輝度分布を得ることができる。
【００２６】
また、図１の例では、間隔Ｌ３は、発光クラスタ１３が有する緑色ＬＥＤ１０と、当該発光クラスタ１３に隣接する発光クラスタ１３が有する緑色ＬＥＤ１０と、の間隔の最小値Ｌ６よりも狭い。即ち、図１の例では、以下の条件式１を満たすように、各緑色ＬＥＤ１０が配置されている。
間隔Ｌ３＜間隔Ｌ６  ・・・（条件式１）
条件式１が満たされることにより、発光クラスタ１３が有する複数のＬＥＤから発せられた光の混色性を高めることができる。その結果、光源装置１００から発せられた光の色ムラ（縞模様や格子模様の色ムラ）を低減することができる。
言い換えると、間隔Ｌ６が間隔Ｌ３よりも長くなるようにすることで、発光クラスタの数を減らすことができ、ＬＥＤの総数を減らすことができる。このため、光源装置または表示装置のコストが削減できる。発光クラスタ１３から発せられる光の色ムラが低減できるため、このように間隔Ｌ６が間隔Ｌ３よりも長くなるようにしても、互いに隣接する複数の発光クラスタ１３間の色ムラも少ない。
【００２７】
なお、ＬＥＤの間隔はどのように定義されてもよい。例えば、ＬＥＤの中心位置と隣接ＬＥＤの中心位置との間の距離が、ＬＥＤの間隔として使用されてもよい。ＬＥＤの縁と隣接ＬＥＤの縁との間の距離が、ＬＥＤの間隔として使用されてもよい。上記２つの縁は、例えば、同じ側に位置する２つの縁、互いに対向する２つの縁、等である。
なお、対応領域の形状は、正方形でなくてもよい。例えば、対応領域の形状は、正方形以外の四角形（長方形、平行四辺形、台形、等）、円形、三角形、五角形、等であってもよい。
【００２８】
次に、第２光源である赤色ＬＥＤ１１と、第３光源である青色ＬＥＤ１２と、の配置について説明する。
ＣＩＥ１９７６ＵＣＳ色度図からわかるように、人間の色覚上、赤色や青色は、緑色に比べて色味や輝度の違いが知覚されやすい。そのため、発光クラスタ１３の外縁部に赤色ＬＥＤ１１や青色ＬＥＤ１２が配置されている場合、発光クラスタ１３から発せられた光の色ムラが生じてしまう。具体的には、発光クラスタ１３の中心部では、緑色ＬＥＤ１０、赤色ＬＥＤ１１、及び、青色ＬＥＤ１２から発せられた光の混色が十分に行われるため、発光クラスタ１３から発せられた光として白色の光を得ることができる。一方で、発光クラスタ１３の外縁部では、上記混色が不十分となり、発光クラスタ１３から発せられた光として赤みがかった色や青みがかった色の光が得られてしまう。その結果、色ムラが生じてしまう。このような色ムラは、ローカルディミング制御時などのように、発光クラスタ１３間で発光輝度が異なる場合に、より顕著に現れる。
【００２９】
このような色ムラをも低減するために、本実施例では、赤色ＬＥＤ１１と青色ＬＥＤ１２の配置も工夫されている。
図１の例では、同じ発光クラスタ１３が有する２つの赤色ＬＥＤ１１は、当該発光クラスタ１３の中心位置Ｐ１に対して略点対称となるように配置されている。また、同じ発光クラスタ１３が有する２つの青色ＬＥＤ１２も、当該発光クラスタ１３の中心位置Ｐ１に対して略点対称となるように配置されている。そして、図１の例では、同じ発光クラスタ１３が有する２つの赤色ＬＥＤ１１の間隔Ｌ４は間隔Ｌ３より狭く、同じ発光クラスタ１３が有する２つの青色ＬＥＤ１２の間隔Ｌ５も間隔Ｌ３より狭い。即ち、図１の例では、以下の条件式２，３を満たすように、各赤色ＬＥＤ１１と各青色ＬＥＤ１２とが配置されている。
間隔Ｌ４＜間隔Ｌ３  ・・・（条件式２）
間隔Ｌ５＜間隔Ｌ３  ・・・（条件式３）
２つの赤色ＬＥＤ１１と２つの青色ＬＥＤ１２とがそれぞれ中心位置Ｐ１に対して略点対称となるように配置され、且つ、条件式２，３が満たされることにより、発光クラスタ１３が有する複数のＬＥＤから発せられた光の混色性をより高めることができる。それにより、同色のＬＥＤの間での発光色や発光輝度のばらつきが生じた場合でも、そのようなばらつきを知覚されにくくすることができる。ひいては、ローカルディミング制御時に顕著に現れる上記色ムラを低減することができる。
人間の色覚上、緑色に比べて色味や輝度の違いが知覚されやすい赤色および青色のＬＥＤ同士の間隔Ｌ４，Ｌ５を、緑色ＬＥＤ同士の間隔Ｌ３よりも短くすることで、赤色および青色のＬＥＤの製造ばらつきの影響を低減することができる。
【００３０】
また、本実施例では、同じ発光クラスタ１３が有する２つの赤色ＬＥＤ１１は、上記行方向（上記水平方向）と上記列方向（上記垂直方向）の一方に並べて配置されている。そして、同じ発光クラスタ１３が有する２つの青色ＬＥＤ１２は、上記行方向と上記列方向の他方に並べて配置されている。図１の例では、同じ発光クラスタ１３が有する２つの赤色ＬＥＤ１１は、上記列方向に並べて配置されており、同じ発光クラスタ１３が有する２つの青色ＬＥＤ１２は、上記行方向に並べて配置されている。
【００３１】
なお、間隔Ｌ４は、間隔Ｌ５と等しくてもよいし、そうでなくてもよい。間隔Ｌ４は、間隔Ｌ５より長くても短くてもよい。
【００３２】
以上述べたように、本実施例によれば、同じ発光クラスタが有する複数の光源は、以下の条件１〜３を満たすように配置される。
条件１：同じ発光クラスタが有する複数の第１光源、複数の第２光源、及び、複数の第３光源は、それぞれ、当該発光クラスタの中心位置に対して略点対称となるように配置さ
れる。
条件２：同じ発光クラスタが有する複数の第１光源の間隔の最小値は、当該発光クラスタが有する第１光源と、当該発光クラスタに隣接する発光クラスタが有する第１光源と、の間隔の最小値よりも狭い。
条件３：同じ発光クラスタが有する複数の第２光源の間隔と、同じ発光クラスタが有する複数の第３光源の間隔とは、それぞれ、同じ発光クラスタが有する複数の第１光源の間隔よりも狭い。
それにより、光源装置から発せられた光の色ムラをより確実に低減することができる。具体的には、縞模様や格子模様の色ムラと、ローカルディミング制御時に顕著に現れる色ムラと、の両方を低減することができる。
【００３３】
なお、上記条件１〜３が満たされれば、光源の配置は特に限定されない。例えば、同じ発光クラスタが有する４つの緑色ＬＥＤによって形成されるマトリクスの行方向および列方向は、光源装置の水平方向および垂直方向と異なる方向であってもよい。同じ発光クラスタが有する２つの赤色ＬＥＤは、上記マトリクスの行方向に並べて配置されてもよいし、同じ発光クラスタが有する２つの青色ＬＥＤは、上記マトリクスの列方向に並べて配置されてもよい。同じ発光クラスタが有する２つの赤色ＬＥＤは、上述した行方向、列方向、水平方向、及び、垂直方向とは異なる方向に並べて配置されてもよい。同じ発光クラスタが有する２つの青色ＬＥＤについても同様である。
【００３４】
＜実施例２＞
以下、本発明の実施例２に係る光源装置について説明する。
なお、本実施例において、光源装置が有する発光クラスタの構成、数、配置、等は、実施例１と同じであるため、その説明は省略する。
【００３５】
図２は、本実施例に係る光源装置２００の構成の一例を示す側面図である。
図２に示すように、光源装置２００は、複数の発光クラスタ１３、拡散板１４、及び、基板１５を有する。図２の例では、複数の発光クラスタ１３は、基板１５上に設けられている。基板１５は、光の反射性が高い板状部材である。そのため、基板１５は“反射板”と呼ぶこともできる。拡散板１４は、複数の発光クラスタ１３から発せられた光を拡散する拡散部材である。
なお、基板１５として、光の反射性が低い板状部材が使用されてもよい。但し、光の反射性が高い板状部材を基板１５として使用することにより、発光クラスタ１３が有する複数のＬＥＤから発せられた光の混色性を高めることができる。
なお、拡散部材の形状は板状に限らない。
【００３６】
拡散板１４は、複数の発光クラスタ１３と対向する位置に設けられる。図２の例では、拡散板１４の中心位置と発光クラスタ１３（ＬＥＤ）の中心位置との間の距離Ｈは、距離Ｌ１よりも狭く、且つ、間隔Ｌ６よりも広い。距離Ｈは、発光クラスタ１３の発光方向における距離である。また、図２には示されていないが、距離Ｈは、距離Ｌ２よりも狭い。即ち、図２の例では、以下の条件式４を満たすように、拡散板１４が配置されている。
間隔Ｌ６＜距離Ｈ＜距離Ｌ１および距離Ｌ２  ・・・（条件式４）
条件式４が満たされることにより、光源装置２００から発せられた光の輝度ムラを低減することができる。具体的には、条件式４の“距離Ｈ＜距離Ｌ１および距離Ｌ２”が満たされることにより、光源装置２００から発せられた光の輝度ムラを低減することができる。
なお、距離Ｈは間隔Ｌ６より短くてもよい。
【００３７】
光源装置２００（拡散板１４）から発せられた光の輝度分布の一例を図３に示す。図３の輝度分布は、図１の点Ｐ２の周囲に配置された４つの発光クラスタ１３を発光させたと
きの輝度分布であり、距離Ｌ１＝距離Ｌ２＝３７ｍｍであり且つ間隔Ｌ６＝２６ｍｍである場合の輝度分布である。図３には、距離Ｈが２９ｍｍである場合、距離Ｈが３１ｍｍである場合、距離Ｈが３３ｍｍである場合、及び、距離Ｈが４０ｍｍである場合、の合計４つの場合について、輝度分布が示されている。図３の横軸は、水平方向及び垂直方向における点Ｐ２からの距離を示し、図３の縦軸は、点Ｐ２での輝度が“１”となるように正規化された輝度を示している。
【００３８】
図３に示すように、距離Ｈが２９ｍｍ、３１ｍｍ、及び、３３ｍｍである場合には、輝度ムラが比較的小さい。そして、距離Ｈが４０ｍｍである場合には、点Ｐ２から離れた位置で輝度が急激に変化している。即ち、距離Ｈが４０ｍｍである場合には、輝度ムラが大きい。そのため、距離Ｈに上限値を設けることは重要であり、“距離Ｈ＜距離Ｌ１および距離Ｌ２”が満たされることにより、光源装置２００から発せられた光の輝度ムラを低減することができる。距離Ｈの最適な下限値は、拡散板１４の特性、許容できる輝度ムラの大きさ、等にもよるが、距離Ｈの下限値として間隔Ｌ６を使用することができる。
【００３９】
以上述べたように、本実施例によれば、実施例１で述べた条件１〜３を満たすように、同じ発光クラスタが有する複数の光源が配置される。それにより、実施例１で述べた効果と同様の効果を得ることができる。また、本実施例によれば、“距離Ｈ＜距離Ｌ１および距離Ｌ２”を満たすように、複数の発光クラスタと拡散板とが配置される。それにより、輝度ムラをも低減することができる。
なお、実施例１と同様に、本実施例に係る光源装置の構成も、種々の変更が可能である。
【００４０】
＜実施例３＞
以下、本発明の実施例３に係る光源装置について説明する。
図４は、本実施例に係る光源装置３００の構成の一例を示す。
図４に示すように、光源装置３００は９つの発光クラスタ（５つの発光クラスタ３３と４つの発光クラスタ３４）を有し、各発光クラスタは、４つの緑色ＬＥＤ３０、２つの赤色ＬＥＤ３１、及び、２つの青色ＬＥＤ３２を有する。発光クラスタの配置、及び、緑色ＬＥＤ３０の配置は、実施例１と同様である。また、図４では示されていないが、光源装置３００は拡散板と基板をさらに有する。
【００４１】
図４の例では、互いに隣接する発光クラスタ間（互いに隣接する光源群間）で、同じ発光クラスタが有する２つの赤色ＬＥＤ３１と２つの青色ＬＥＤ３２との位置関係が互いに異なっている。具体的には、発光クラスタ３３に、他の発光クラスタ３３ではなく、発光クラスタ３４が隣接するように、各発光クラスタが配置されている。発光クラスタ３３では、２つの赤色ＬＥＤ３１が、垂直方向に並べて配置されており、２つの青色ＬＥＤ３２が、水平方向に並べて配置されている。発光クラスタ３４では、２つの赤色ＬＥＤ３１が、水平方向に並べて配置されており、２つの青色ＬＥＤ３２が、垂直方向に並べて配置されている。そのため、図４の例では、互いに隣接する発光クラスタ間で、同じ発光クラスタが有する２つの赤色ＬＥＤ３１と２つの青色ＬＥＤ３２との配列方向が入れ替えられている。
【００４２】
上述した配置によれば、互いに隣接する発光クラスタ間における赤色ＬＥＤ３１と青色ＬＥＤ３２の最短距離を低減することができる。そのため、仮に格子模様や縞模様の色ムラが発生したとしても、格子模様や縞模様の色は赤色と青色が混色されたマゼンダ色となる。人間の色覚上、マゼンダ色は、赤色や青色に比べて色味や輝度の違いが知覚されにくい。従って、上述した配置によれば、格子模様や縞模様の色ムラを視認しにくくすることができる。
【００４３】
以上述べたように、本実施例によれば、実施例１で述べた条件１〜３を満たすように、同じ発光クラスタが有する複数の光源が配置される。それにより、実施例１で述べた効果と同様の効果を得ることができる。また、本実施例では、互いに隣接する発光クラスタ間で、同じ発光クラスタが有する複数の第２光源と複数の第３光源との位置関係が、互いに異なる。それにより、格子模様や縞模様の色ムラを知覚（視認）しにくくすることができる。
なお、実施例１と同様に、本実施例に係る光源装置の構成も、種々の変更が可能である。
【００４４】
＜実施例４＞
以下、本発明の実施例４に係る光源装置について説明する。
（光源装置の構成）
まず、本実施例に係る光源装置の大まかな構成について説明する。
図５は、本実施例に係る光源装置４００の構成の一例を示す。
図５に示すように、光源装置４００は、９つの発光クラスタ（５つの発光クラスタ４６と４つの発光クラスタ４７）を有する。発光クラスタの配置は、実施例１と同様である。また、図５では示されていないが、光源装置４００は拡散板と基板をさらに有する。
【００４５】
図５の例では、各発光クラスタは、２つの第１の緑色ＬＥＤ４０（光源Ｃ）、２つの第２の緑色ＬＥＤ４１（光源Ｄ）、１つの第１の赤色ＬＥＤ４２、１つの第２の赤色ＬＥＤ４３、１つの第１の青色ＬＥＤ４４、及び、１つの第２の青色ＬＥＤ４５を有する。図５では、第１の緑色ＬＥＤ４０に“Ｇ１”、第２の緑色ＬＥＤ４１に“Ｇ２”、第１の赤色ＬＥＤ４２に“Ｒ１”、第２の赤色ＬＥＤ４３に“Ｒ２”、第１の青色ＬＥＤ４４に“Ｂ１”、第２の青色ＬＥＤ４５に“Ｂ２”が記載されている。
第２の緑色ＬＥＤ４１は、第１の緑色ＬＥＤ４０が発する光と主波長が異なる光を発する。例えば、第２の緑色ＬＥＤ４１が発する光の主波長と、第１の緑色ＬＥＤ４０が発する光の主波長と、は６ｎｍ〜１６ｎｍ程度離れている。
第２の赤色ＬＥＤ４３は、第１の赤色ＬＥＤ４２が発する光と主波長が異なる光を発する。例えば、第２の赤色ＬＥＤ４３が発する光の主波長と、第１の赤色ＬＥＤ４２が発する光の主波長と、は６ｎｍ〜１６ｎｍ程度離れている。
第２の青色ＬＥＤ４５は、第１の青色ＬＥＤ４４が発する光と主波長が異なる光を発する。例えば、第２の青色ＬＥＤ４５が発する光の主波長と、第１の青色ＬＥＤ４４が発する光の主波長と、は６ｎｍ〜１６ｎｍ程度離れている。
なお、第１の緑色ＬＥＤ４０、第２の緑色ＬＥＤ４１、第１の赤色ＬＥＤ４２、第２の赤色ＬＥＤ４３、第１の青色ＬＥＤ４４、及び、第２の青色ＬＥＤ４５のそれぞれの数は、上述した数より多くてもよい。
【００４６】
発光クラスタ４６では、第１の赤色ＬＥＤ４２と第２の赤色ＬＥＤ４３とが、垂直方向に並べて配置されており、第１の青色ＬＥＤ４４と第２の青色ＬＥＤ４５とが、水平方向に並べて配置されている。発光クラスタ４７では、第１の赤色ＬＥＤ４２と第２の赤色ＬＥＤ４３とが、水平方向に並べて配置されており、第１の青色ＬＥＤ４４と第２の青色ＬＥＤ４５とが、垂直方向に並べて配置されている。そして、発光クラスタ４６に、他の発光クラスタ４６ではなく、発光クラスタ４７が隣接するように、各発光クラスタが配置されている。
【００４７】
（光源の配置）
次に、本実施例に係る光源の配置について説明する。
図５の例では、同じ発光クラスタが有する第１の緑色ＬＥＤ４０と第２の緑色ＬＥＤ４１は、当該発光クラスタの中心位置Ｐ１に対して略点対称となるように配置されている。そして、同じ発光クラスタが有する複数の緑色ＬＥＤのうち、当該発光クラスタに隣接す
る発光クラスタが有する第１の緑色ＬＥＤ４０に最も近い緑色ＬＥＤは、第２の緑色ＬＥＤ４１である。また、同じ発光クラスタが有する複数の緑色ＬＥＤのうち、当該発光クラスタに隣接する発光クラスタが有する第２の緑色ＬＥＤ４１に最も近い緑色ＬＥＤは、第１の緑色ＬＥＤ４０である。
【００４８】
赤色ＬＥＤと青色ＬＥＤも、緑色ＬＥＤと同様に配置される。
図５の例では、同じ発光クラスタが有する第１の赤色ＬＥＤ４２と第２の赤色ＬＥＤ４３が、当該発光クラスタの中心位置Ｐ１に対して略点対称となるように配置されている。そして、同じ発光クラスタが有する第１の青色ＬＥＤ４４と第２の青色ＬＥＤ４５が、当該発光クラスタの中心位置Ｐ１に対して略点対称となるように配置されている。
【００４９】
同じ発光クラスタが有する複数の光源のうち、主波長が離れている複数の同色系光源を、当該発光クラスタの中心位置に対して点対称となるように配置することにより、当該発光クラスタが有する複数の光源から発せられた光の混色性を高めることができる。その結果、格子模様や縞模様の色ムラを低減することができる。また、互いに隣接する発光クラスタ間で互いに最も近接する２つの同色系光源として、主波長が離れている２つの同色系光源が配置されることによっても、上記混色性を高めることができる。その結果、格子模様や縞模様の色ムラを低減することができる。
【００５０】
以上述べたように、本実施例によれば、実施例１で述べた条件１〜３を満たすように、同じ発光クラスタが有する複数の光源が配置される。それにより、実施例１で述べた効果と同様の効果を得ることができる。また、本実施例によれば、実施例３で述べた位置関係で第２光源と第３光源が配置される。それにより、実施例３で述べた効果と同様の効果を得ることができる。さらに、本実施例によれば、同じ発光クラスタが有する複数の光源は、以下の条件４〜６を満たすように配置される。
条件４：同じ発光クラスタが有する複数の光源のうち、主波長が離れている複数の同色系光源が、当該発光クラスタの中心位置に対して点対称となるように配置されている。
条件５：互いに隣接する発光クラスタ間で互いに最も近接している２つの同色系光源として、主波長が離れている２つの同色系光源が配置されている。
それにより、縞模様や格子模様の色ムラをより低減することができる。
【００５１】
なお、上述した条件４，５の一方が満たされなくてもよい。
なお、本実施例では、第１光源の配置が条件４，５を満たし、第２光源と第３光源の配置が条件４を満たす例を説明したが、これに限らない。例えば、同じ発光クラスタが第１の赤色ＬＥＤと第２の赤色ＬＥＤをそれぞれ複数有する場合には、赤色ＬＥＤ（第２光源）の配置が条件４，５を満たしてもよい。同じ発光クラスタが第１の青色ＬＥＤと第２の青色ＬＥＤをそれぞれ複数有する場合には、青色ＬＥＤ（第３光源）の配置が条件４，５を満たしてもよい。
なお、実施例１と同様に、本実施例に係る光源装置の構成も、種々の変更が可能である。
【００５２】
＜実施例５＞
本発明の実施例５に係る画像表示装置８００の構成の一例を、図６（Ａ）、図６（Ｂ）、及び、図６（Ｃ）を用いて説明する。図６（Ａ）は、画像表示装置８００の分解斜視図である。
液晶表示装置８００は、液晶パネル８０１と、液晶パネル８０１の背面側に設けられた直下型のバックライトユニット８０２（光源装置）と、液晶パネル８０１を表示面側から抑える枠体８０３とを有する。
【００５３】
バックライトユニット８０２は、液晶パネル８０１側を開口したバックライトケース８
０２ａと、光透過性や光拡散性または光集光性を有する光学シート群８０２ｂとにより略密閉された箱状部材である。バックライトユニット８０２の内部（バックライトケース８０２ａの光学シート群８０２ｂと対向する面）には、複数のＬＥＤを有する光源基板８０２ｃが配置されている。さらに、光源基板８０２ｃ上（光源基板８０２ｃの光学シート群８０２ｂ側）には、光源基板８０２ｃのＬＥＤが露出するように貫通穴８０２ｆが設けられた反射シート８０２ｅが配置されている。以上の構成により、バックライトユニット８０２は、発光面（光学シート群８０２ｂが設けられている側の面）内で均一な輝度や色度の光を発する面光源として機能する。
【００５４】
図６（Ｂ）は、図６（Ａ）の符号Ｃで示す部分の拡大図である。具体的には、図６（Ｂ）は、発光部材（発光ダイオード（ＬＥＤ））と、ＬＥＤからの光の反射拡散を促す反射シート８０２ｅの貫通穴８０２ｆとの配置を示す。
【００５５】
バックライトユニット８０２では、バックライトユニット８０２が発する光の色再現性を高めるために、ＬＥＤ８０６Ｒ、ＬＥＤ８０６Ｇ、ＬＥＤ８０６Ｂといった互いに異なるピーク波長の光を発する複数のＬＥＤが、１つの発光クラスタ（光源群）として用いられる。図６（Ｂ）の例では、１つの発光クラスタは、２つのＬＥＤ８０６Ｒ、４つのＬＥＤ８０６Ｇ、２つのＬＥＤ８０６Ｂの合計８つのＬＥＤにより構成されている。ここで、ＬＥＤ８０６Ｒ，８０６Ｇ，８０６Ｂは、光源装置の発光面と平行な面（光源基板８０２ｃと平行な面）における外接四角形が長方形となるＬＥＤである。図６（Ｂ）では、簡単のため、ＬＥＤ（ＬＥＤ８０６Ｒ，８０６Ｇ，８０６Ｂ）をその外接四角形である長方形で示している。ＬＥＤ８０６Ｒは赤色光を発するＬＥＤ、ＬＥＤ８０６Ｇは緑色光を発するＬＥＤ、ＬＥＤ８０６Ｂは青色光を発するＬＥＤである。
【００５６】
また、バックライトユニット８０２が発する光の発光面内での輝度や色度の均一性を高めるために、１つの発光クラスタに含まれる複数のＬＥＤは、ＬＥＤ間（発光中心点間）の距離が小さくなるように配置される。
【００５７】
図６（Ｂ）の例では、各ＬＥＤは、光源装置の発光面と平行な面において、以下のように配置されている。
４つのＬＥＤ８０６Ｇのそれぞれの長辺が、液晶パネル８０１の長辺と平行になるようにし、かつ、２つのＬＥＤ８０６Ｒおよび２つのＬＥＤ８０６Ｂのそれぞれの長辺が、液晶パネル８０１の短辺と平行になるように、各ＬＥＤが配置されている。
【００５８】
このように、８つのＬＥＤを集中して配置することにより、反射シートの貫通穴８０２ｆを小さくすることができる。このため、反射シートの反射面積（有効面積）を大きくすることができ、ＬＥＤからの光を効率的に利用し、発光輝度を高めることができる。
【００５９】
また、図示しないが、実施例２で説明したように、図６（Ｂ）の発光クラスタに隣接する発光クラスタのＬＥＤ８０６ＲとＬＥＤ８０６Ｂの配置が、図６（Ｂ）の発光クラスタのＬＥＤ８０６ＲとＬＥＤ８０６Ｂの配置と入れ替わっていてもよい。
【００６０】
図６（Ｃ）は、各ＬＥＤの構造例を示す図である。ＬＥＤには、発光方向に垂直な面（光源装置の発光面と平行な面、すなわち光源基板８０２ｃと平行な面）における外接四角形９０３が長方形（略長方形）となるものがある。例えば、図６（Ｃ）に示すように、発光方向に垂直な面における形状が略正方形である発光部９０１と、発光方向に垂直な１つの方向（光源装置の発光面と平行な１つの方向、すなわち光源基板８０２ｃと平行な１つの方向）の両端に設けられた電極９０２とを有するＬＥＤでは、発光方向に垂直な面における外接四角形９０３が長方形となる。図６（Ｃ）の例では、外接四角形９０３は、左右の辺を短辺、上下の辺を長辺とする長方形である。そのようなＬＥＤを用いる場合、貫通
穴８０２ｆは、ＬＥＤの発光部のみでなく、ＬＥＤ全体が露出するように設けられる。
【００６１】
なお、実施例１と同様に、本実施例に係る光源装置の構成も、種々の変更が可能である。
【００６２】
なお、上述した実施例１〜４で述べた各特徴を可能な限り組み合わせて得られる構成も、本発明に含まれる。例えば、実施例２で述べた拡散部材の配置と、実施例３で述べた光源の配置との両方が実現された光源装置も、本発明に含まれる。また、実施例１で述べた光源の配置と、実施例４で述べた条件４，５との両方が実現された光源装置、実施例２で述べた拡散部材の配置と、実施例４で述べた条件４，５との両方が実現された光源装置も、本発明に含まれる。また、実施例１で述べた光源の配置と、実施例５で述べたバックライトユニットの構成との両方が実現された光源装置、実施例２で述べた拡散部材の配置と、実施例５で述べたバックライトユニットの構成との両方が実現された光源装置も、本発明に含まれる。また、実施例３で述べた光源の配置と、実施例５で述べたバックライトユニットの構成との両方が実現された光源装置、実施例４で述べた条件４，５と、実施例５で述べたバックライトユニットの構成との両方が実現された光源装置も、本発明に含まれる。
【符号の説明】
【００６３】
１０，３０，４０，４１・・・緑色ＬＥＤ
１１，３１，４２，４３・・・赤色ＬＥＤ
１２，３２，４４，４５・・・青色ＬＥＤ
１３，３３，３４，４６，４７・・・発光クラスタ
１００，２００，３００，４００・・・光源装置
【図１】
2016081906.tif 000003
【図２】
2016081906.tif 000004
【図３】
2016081906.tif 000005
【図４】
2016081906.tif 000006
【図５】
2016081906.tif 000007
【図６】
2016081906.tif 000008